(57)【特許請求の範囲】
【請求項１】
互いに直交する長手方向と幅方向と厚さ方向とを有する吸収性物品であって、
液吸収性の吸収体と、
前記厚さ方向の肌側から前記吸収体を覆うトップシートと、
前記厚さ方向の非肌側から前記吸収体を覆うバックシートと、
を有し、
前記吸収体は、前記厚さ方向の肌側に突出して折れ曲がるように誘導する折り誘導線を前記長手方向に沿って有し、前記折り誘導線の前記幅方向の両側にそれぞれ前記吸収体の厚さ以下の幅を有する折り曲げ誘導領域が形成され、
前記吸収体と前記トップシートとは前記長手方向に沿った線状圧搾部によって接合されており、
前記バックシートは、前記厚さ方向の非肌側に接着剤が塗布された領域である粘着部を有し、
少なくとも前記長手方向の中央部において、前記折り曲げ誘導領域及び前記線状圧搾部は、前記粘着部と重複する領域に形成されておらず、
前記線状圧搾部は、前記長手方向の中央部よりも前側において分断された箇所を有し、
前記線状圧搾部が分断された箇所と前記粘着部とが重複している、ことを特徴とする吸収性物品。
【請求項２】
請求項１に記載の吸収性物品であって、
前記吸収体は、前記折り誘導線に沿って前記厚さ方向の肌側に突出して折れ曲がっている、ことを特徴とする吸収性物品。
【請求項３】
請求項１または２に記載の吸収性物品であって、
前記バックシートから前記幅方向の外側に延出して下着に固定されるウイング部を有し、
前記ウイング部の前記厚さ方向の非肌側には、前記接着剤が塗布された領域であるウイング粘着部が形成されており、
前記長手方向の中央部は、前記長手方向においてウイング粘着部が形成されている領域である、ことを特徴とする吸収性物品。
【請求項４】
請求項３に記載の吸収性物品であって、
前記バックシートの前記厚さ方向の非肌側で、前記幅方向の両端に設けられた１対の前記ウイング粘着部の間には、前記接着剤が塗布された領域である本体粘着部が形成されており、
前記ウイング部を前記幅方向の中央側へ折り返したときに、前記ウイング粘着部のうち少なくとも一部の領域が、前記本体粘着部と重複する、ことを特徴とする吸収性物品。
【請求項５】
請求項４に記載の吸収性物品であって、
前記ウイング部を前記吸収体の前記幅方向の端縁部に沿って前記幅方向の中央側へ折り返したときに、前記ウイング粘着部と前記折り曲げ誘導領域とが重複しない、ことを特徴とする吸収性物品。
【請求項６】
請求項４又は５に記載の吸収性物品であって、
前記吸収体と前記トップシートとは複数の点状圧搾部によって接合されており、
複数の前記点状圧搾部のうち、前記幅方向の最も内側に配置されている前記点状圧搾部の位置は、前記本体粘着部の前記幅方向の内側端部の位置よりも前記幅方向の内側である、ことを特徴とする吸収性物品。
【請求項７】
請求項６に記載の吸収性物品であって、
複数の前記点状圧搾部が前記長手方向に沿って並ぶことにより、複数の列が形成されており、
複数の前記列のうち、前記幅方向の最も内側に配置されている前記列の位置は、前記本体粘着部の前記幅方向の内側端部の位置よりも前記幅方向の内側である、ことを特徴とする吸収性物品。
【請求項８】
請求項６または７に記載の吸収性物品であって、
複数の前記点状圧搾部が等間隔で配置されている、ことを特徴とする吸収性物品。
【請求項９】
請求項１〜８のいずれかに記載の吸収性物品であって、
前記吸収体の単位面積当たりの質量が均一である、ことを特徴とする吸収性物品。
【請求項１０】
請求項１〜９のいずれかに記載の吸収性物品であって、
前記吸収体の厚さは３ｍｍ以下である、ことを特徴とする吸収性物品。
【発明の詳細な説明】
【技術分野】
【０００１】
本発明は、吸収性物品に関する。
【背景技術】
【０００２】
経血などの排泄液を吸収する吸収性物品として生理用ナプキンが知られている。同ナプキンは、互いに直交する長手方向と幅方向と厚さ方向とを有している。また、同ナプキンは、液透過性のトップシートと液不透過性のバックシートとの間に、液体吸収性繊維を主材とする吸収体を有している。このような生理用ナプキンの例として、特許文献１には、使用者の臀裂部分と当接する部分において、吸収体を折り曲げて上向きに隆起させることにより、当該臀裂部分に対するフィット性を良好にする吸収性物品が開示されている。
【先行技術文献】
【特許文献】
【０００３】
【特許文献１】特表２０１０−２２７２８６号
【発明の概要】
【発明が解決しようとする課題】
【０００４】
特許文献１に記載された吸収性物品では、上向きに隆起する部分の裏面側に接着部が形成されており、吸収体の表面を折り曲げて山状に隆起させた後に裏面側の接着部によって折り線部を接着固定することで、山折り状態を維持している。しかし、このような構成では接着部によって固定されていない部分に歪が生じやすく、隆起部分を形成する面が変形して当該隆起部の形状が崩れてしまうおそれがある。また、隆起部の上端部（すなわち吸収体の折り目が形成されている部分）が接着固定されているため、接着された部分が固くなって使用者に違和感を生じさせやすい。
【０００５】
本発明は、上記のような問題に鑑みてなされたものであって、その目的とするところは、吸収性物品を着用する際に、吸収体の折り曲げ部分の面形状が崩れることを抑制して良好なフィット性を実現することにある。
【課題を解決するための手段】
【０００６】
上記目的を達成するための主たる発明は、
互いに直交する長手方向と幅方向と厚さ方向とを有する吸収性物品であって、
液吸収性の吸収体と、
前記厚さ方向の肌側から前記吸収体を覆うトップシートと、
前記厚さ方向の非肌側から前記吸収体を覆うバックシートと、
を有し、
前記吸収体は、前記厚さ方向の肌側に突出して折れ曲がるように誘導する折り誘導線を前記長手方向に沿って有し、前記折り誘導線の前記幅方向の両側にそれぞれ前記吸収体の厚さ以下の幅を有する折り曲げ誘導領域が形成され、
前記吸収体と前記トップシートとは前記長手方向に沿った線状圧搾部によって接合されており、
前記バックシートは、前記厚さ方向の非肌側に接着剤が塗布された領域である粘着部を有し、
少なくとも前記長手方向の中央部において、前記折り曲げ誘導領域及び前記線状圧搾部は、前記粘着部と重複する領域に形成されておらず、
前記線状圧搾部は、前記長手方向の中央部よりも前側において分断された箇所を有し、
前記線状圧搾部が分断された箇所と前記粘着部とが重複している、ことを特徴とする吸収性物品である。
【０００７】
本発明の他の特徴については、本明細書及び添付図面の記載により明らかにする。
【発明の効果】
【０００８】
本発明によれば、吸収性物品の着用時において、吸収体の折り曲げ部分の面形状が崩れることを抑制して良好なフィット性を実現することができる。
【図面の簡単な説明】
【０００９】
【図１】生理用ナプキン１を厚さ方向の肌側から見た概略平面図である。
【図２】生理用ナプキン１を厚さ方向の非肌側から見た概略平面図である。
【図３】図１中のＡ−Ａ矢視で示す概略断面である。
【図４】吸収体１０を厚さ方向の非肌側から見た概略平面図である。
【図５】ナプキン１の使用態様について説明する図である。
【図６】図６Ａは、吸収体１０を折り誘導線１５に沿って折り曲げたときの状態について説明する概略断面図である。図６Ｂは、図６Ａの状態から吸収体１０を平面状に伸ばしたときの状態について説明する概略断面図である。
【図７】折り曲げ誘導領域１５ＧＡ及び線状圧搾部ＥＬ２０と粘着部４０との関係を表す図である。
【図８】図８Ａ及び図８Ｂは、アンカリングが生じる原理について説明する図である。
【図９】ウイング部２０ｗ，３０ｗを折り返した状態における、折り曲げ誘導領域１５ＧＡ及び線状圧搾部ＥＬ２０とウイング粘着部４０ｗとの関係を表す図である。
【図１０】図９のＢ−Ｂ矢視で示す断面について、ナプキン１を下着に固定したときの状態について示す図である。
【図１１】ウイング部２０ｗ，３０ｗを吸収体１０の幅方向端縁部に沿って折り返した状態における、折り曲げ誘導領域１５ＧＡ及び線状圧搾部ＥＬ２０とウイング粘着部４０ｗとの関係を表す図である。
【発明を実施するための形態】
【００１０】
本明細書及び添付図面の記載により、少なくとも以下の事項が明らかとなる。
互いに直交する長手方向と幅方向と厚さ方向とを有する吸収性物品であって、液吸収性の吸収体と、前記厚さ方向の肌側から前記吸収体を覆うトップシートと、前記厚さ方向の非肌側から前記吸収体を覆うバックシートと、を有し、前記吸収体は、前記厚さ方向の肌側に突出して折れ曲がるように誘導する折り誘導線を前記長手方向に沿って有し、前記折り誘導線の前記幅方向の両側にそれぞれ前記吸収体の厚さ以下の幅を有する折り曲げ誘導領域が形成され、前記吸収体と前記トップシートとは前記長手方向に沿った線状圧搾部によって接合されており、前記バックシートは、前記厚さ方向の非肌側に接着剤が塗布された領域である粘着部を有し、少なくとも前記長手方向の中央部において、前記折り曲げ誘導領域及び前記線状圧搾部は、前記粘着部と重複する領域に形成されていない、ことを特徴とする吸収性物品。
【００１１】
このような吸収性物品によれば、吸収体で粘着部を介して下着と接着された部分の剛性が高くなって平面形状を維持しやすくなる。そして、粘着部によって接着された平面形状を有する部分（すなわち平面部分）に線状圧搾部が重複しないようにすることで、当該平面部分に折り曲げの起点ができてしまうことを抑制できる。また、当該平面部分が折り曲げ誘導領域と重複しないようにすることで、折り誘導線に沿った吸収体の変形を阻害しにくくなる。これらにより、吸収性物品の着用時において、吸収体の折り曲げ部分の平面形状が崩れることを抑制して良好なフィット性を実現することができる。
【００１２】
かかる吸収性物品であって、前記バックシートから前記幅方向の外側に延出して下着に固定されるウイング部を有し、前記ウイング部の前記厚さ方向の非肌側には、前記接着剤が塗布された領域であるウイング粘着部が形成されており、前記長手方向の中央部は、前記長手方向においてウイング粘着部が形成されている領域である、ことが望ましい。
【００１３】
かかる吸収性物品であって、前記吸収体は、前記折り誘導線に沿って前記厚さ方向の肌側に突出して折れ曲がっている、ことが望ましい。
【００１４】
このような吸収性物品によれば、折り誘導線に沿った折り癖を吸収体に付けることができる。吸収性物品を着用する際には、当該折り癖によって吸収体が厚さ方向（肌側）に突出して折れ曲がりやすくなるので、使用者に良好なフィット感を与えやすくなる。
【００１５】
このような吸収性物品によれば、ウイング粘着部が形成されている領域、すなわち、使用者の膣口と当接する領域において、吸収体が折り誘導線に沿って肌側に突出して折れ曲がった形状を維持しやすくなる。これにより、膣口付近において使用者に良好なフィット感を与えることができる。
【００１６】
かかる吸収性物品であって、前記バックシートの前記厚さ方向の非肌側で、前記幅方向の両端に設けられた１対の前記ウイング粘着部の間には、前記接着剤が塗布された領域である本体粘着部が形成されており、前記ウイング部を前記幅方向の中央側へ折り返したときに、前記ウイング粘着部のうち少なくとも一部の領域が、前記本体粘着部と重複する、ことが望ましい。
【００１７】
このような吸収性物品によれば、ウイング粘着部と本体粘着部とが重複した領域で厚さ方向に下着を挟み込んで固定することにより、当該重複した領域の剛性をより高くすることができる。これにより、重複した領域の平面形状が維持されやすくなり、吸収体の折れ曲がり形状がより崩れにくくなる。
【００１８】
かかる吸収性物品であって、前記ウイング部を前記吸収体の前記幅方向の端縁部に沿って前記幅方向の中央側へ折り返したときに、前記ウイング粘着部と前記折り曲げ誘導領域とが重複しない、ことが望ましい。
【００１９】
このような吸収性物品によれば、ウイング粘着部を介して折り曲げ誘導領域とウイング部とが接着されず、折り曲げ誘導領域の剛性が高くなってしまうことが抑制される。これにより、吸収性物品の着用時において、吸収体が折り誘導線に沿った折れ曲がり変形することが阻害されにくくなる。
【００２０】
かかる吸収性物品であって、前記線状圧搾部は、前記長手方向の中央部よりも外側において分断された箇所を有し、前記線状圧搾部が分断された箇所と前記本体粘着部とが重複している、ことが望ましい。
【００２１】
このような吸収性物品によれば、前記線状圧搾部を分断することによって長手方向の中央部と長手方向の前後（外側）部分とで吸収体に作用する力を変化させやすくなる。また、前記線状圧搾部が分断された箇所が粘着部を介して下着と接合されることにより、線状圧搾部に沿って長手方向に伝播する力の一部が分断箇所を超えて伝達されるので、使用者の身体の動きに連動する下着の動きに吸収体が追従しやすくなる。これにより、吸収体に形成されている折り曲げ形状が崩れてしまうことが抑制される。
【００２２】
かかる吸収性物品であって、前記吸収体と前記トップシートとは複数の点状圧搾部によって接合されており、複数の前記点状圧搾部のうち、前記幅方向の最も内側に配置されている前記点状圧搾部の位置は、前記本体粘着部の前記幅方向の内側端部の位置よりも前記幅方向の内側である、ことが望ましい。
【００２３】
このような吸収性物品によれば、幅方向において粘着部によって吸収体が下着に固定されている領域よりも点状圧搾部が形成されている領域が広いため、当該点状圧搾部が形成されている領域の平面形状が保たれやすくなり、吸収体の折れ曲がり形状がより崩れにくくなる。なお、本体粘着部が幅方向中央部の付近に形成されると吸収体を折り曲げたときに裏面側に生じる突出部と接触するおそれがあるが、点状圧搾部の形成位置にはそのような制約は無いため、本体粘着部よりも幅方向中央部の近くに配置することが可能である。
【００２４】
かかる吸収性物品であって、複数の前記点状圧搾部が前記長手方向に沿って並ぶことにより、複数の列が形成されており、複数の前記列のうち、前記幅方向の最も内側に配置されている前記列の位置は、前記本体粘着部の前記幅方向の内側端部の位置よりも前記幅方向の内側である、ことが望ましい。
【００２５】
このような吸収性物品によれば、幅方向のなるべく広い領域に点状圧搾部が形成されることにより、吸収体の剛性をより高くすることが可能となる。その際、点状圧搾部が列状に配置されることにより、当該点状圧搾部の列が形成された領域を平面形状に保ちやすくなり、吸収体の折れ曲がり形状がより崩れにくくなる。
【００２６】
かかる吸収性物品であって、複数の前記点状圧搾部が等間隔で配置されている、ことが望ましい。
【００２７】
このような吸収性物品によれば、吸収体とトップシートとの接合強度が均一になりやすく、吸収体の剛性が一定になりやすい。これにより、吸収体に折り癖をつけることが容易になり、折り誘導線に沿った良好な折れ曲がり形状を形成しやすくなる。
【００２８】
かかる吸収性物品であって、前記吸収体の単位面積当たりの質量が均一である、ことが望ましい。
【００２９】
このような吸収性物品によれば、吸収体の目付量を均一にすることで、吸収性物品の装着時において、下着を引き上げる際に吸収体の表面に歪等が生じにくくなるため、折り誘導線に沿った良好な折れ曲がり形状を形成しやすくなる。
【００３０】
かかる吸収性物品であって、前記吸収体の厚さは３ｍｍ以下である、ことが望ましい。
【００３１】
このような吸収性物品によれば、吸収体が薄く形成されるため、折り誘導線に沿って容易に折り曲げることができるようになる。また、薄型であるため、折り曲げた状態から平面状態に戻ろうとする力が小さく、折れ曲がり部の形状が維持されやすくなる。
【００３２】
＝＝＝実施形態＝＝＝
＜生理用ナプキンの構成＞
本実施形態に係る吸収性物品の一例として生理用ナプキン１（以下、単にナプキン１とも呼ぶ）について説明する。なお、以下の説明では吸収性物品の例として生理用ナプキンについて説明するが、本実施形態の吸収性物品には、所謂おりものシート（例えばパンティライナー）等も含まれており、生理用ナプキンに限定されるものではない。
【００３３】
図１は、生理用ナプキン１を厚さ方向の肌側から見た概略平面図である。図２は生理用ナプキン１を厚さ方向の非肌側から見た概略平面図である。図３は、図１中のＡ−Ａ矢視で示す概略断面である。また、以下の説明では、図１〜図３に示すように、各方向を定義する。すなわち、ナプキン１の製品長手方向に沿った「長手方向」と、ナプキン１の製品短手方向に沿って長手方向と直交する「幅方向」と、長手方向及び幅方向とそれぞれ直交する「厚さ方向」と、を定義する。長手方向は、ナプキン１の使用時において使用者の腹側となる方向である「前側」と、使用者の背側となる方向である「後側」とを有する。厚さ方向は、ナプキン１の着用時に着用者の肌と当接する側（図３において上側）である「肌側」と、その逆側（図３において下側）である「非肌側」とを有する。
【００３４】
ナプキン１は、平面視縦長形状のシート状部材であり、液透過性のトップシート２０と、液吸収性の吸収体１０と、液不透過性のバックシート３０とが厚さ方向の肌側から非肌側へと順に積層されて形成されている（図３参照）。そして、これら各部材２０，１０，３０は、それぞれ、厚さ方向に隣接する部材と、ホットメルト接着剤等の接着剤ＨＭＡで接合されている。なお、同接着剤ＨＭＡの塗布パターンとしては、Ωパターンやスパイラルパターン、ストライプパターン等を例示できる。
【００３５】
トップシート２０及びバックシート３０の平面形状は互いに同形状であり、かつ、その平面サイズは吸収体１０の平面サイズよりも大きくされている。そして、図１及び図２に示されるように、これら両シート２０，３０の外周縁部２０ｅ，３０ｅ同士が接着又は溶着で接合されることにより、これら両シート２０，３０同士の間に吸収体１０が保持されている。また、トップシート２０及びバックシート３０の長手方向の略中央部が幅方向の外側に延出することにより、ナプキン１を下着（不図示）に載置固定する際に供される固定部であるウイング部２０ｗ，３０ｗが形成されている。
【００３６】
吸収体１０は、吸収性コア１１と肌側シート１２と非肌側シート１３とを有する。吸収性コア１１は、経血等の液体（排泄液）を吸収して保持する部材である。吸収性コア１１は、液体吸収性繊維であるセルロース系吸水性繊維と、熱可塑性樹脂繊維とを有し、これらの繊維同士が互いに混合した状態で、図１の破線で示されるように平面視縦長形状に成形されている。液体吸収性繊維としては、例えばパルプ繊維等が使用される。熱可塑性樹脂繊維としては、例えば鞘がポリエチレン（ＰＥ）で芯がポリエチレンテレフタレート（ＰＥＴ）の所謂鞘芯構造の複合繊維等が使用される。また、液体吸収性繊維に加えて液体吸収性粒状物の一例として高吸収性ポリマー（所謂ＳＡＰ）等が使用されるのであっても良い。
【００３７】
肌側シート１２は、吸収性コア１１と平面形状が略同形のシート部材であり、吸収性コア１１の肌側面を覆うようにして接着剤ＨＭＡによって接合されている（図３参照）。肌側シート１２は、エアスルー不織布等、液透過性に優れた柔軟なシートが用いられる。但し、他の種類の不織布やティッシュペーパー等が使用されるのであっても良い。非肌側シート１３は、吸収性コア１１と平面形状が略同形のシート部材であり、吸収性コア１１の非肌側面を覆うようにして接着剤ＨＭＡによって接合されている（図３参照）。非肌側シート１３は、ＳＭＳ（スパンボンド／メルトブローン／スパンボンド）不織布等の柔軟なシートが用いられる。但し、他の種類の不織布やティッシュペーパー等が使用されるのであっても良い。
【００３８】
図４は、吸収体１０を厚さ方向の非肌側から見た概略平面図である。吸収体１０には、同図４に示されるように、複数の吸収体点状圧搾部ＥＤ１０が非肌側から圧搾形成されている。吸収体点状圧搾部ＥＤ１０は、非肌側シート１３と吸収体１０と肌側シート１２とを厚さ方向に一緒に圧搾することによって形成されており、これにより、吸収体１０の剛性が高められていている。なお、ここで言う「点状」は、或る点の周囲に形成される領域を含むものであり、吸収体点状圧搾部ＥＤ１０は、所定の形状及び面積を有する。図４において、吸収体点状圧搾部ＥＤ１０の平面形状は直径１．２ｍｍ程度の円形であり、千鳥状の配置パターンとされているが、何等これに限らない。本実施形態の吸収体１０は、吸収体点状圧搾部ＥＤ１０によって非肌側シート１３と吸収体１０と肌側シート１２とが接合された状態で、厚さが３ｍｍ以下、望ましくは２ｍｍ以下となるように形成される、所謂薄型の吸収体である。
【００３９】
図４に示すように、吸収体１０には、幅方向の中央位置において長手方向に沿った折り誘導線１５が形成されている。折り誘導線１５は、長手方向に一直線に延びつつ同長手方向の全長に亘って形成されていて、吸収体１０は当該折り誘導線１５を基点として厚さ方向の肌側に突出して折れ曲がるように誘導される。実際に、吸収体１０は、製造段階において折り誘導線１５に沿って一旦折り曲げられた後、平面形状に戻された状態でトップシート２０及びバックシート３０と接合され、ナプキン１が形成される。すなわち、吸収体１０には折り誘導線１５に沿った折り癖がつけられている。なお、吸収体１０を折り曲げやすくするように、折り誘導線１５がスリット状の溝によって形成されていたり、吸収体１０の表面にエンボス加工を施すことによって形成されていたりしても良い。また、折り誘導線１５を挟んだ幅方向両側の領域（図４の斜線で表示されている領域）には、折り曲げ誘導領域１５ＧＡが形成されている。折り曲げ誘導領域１５ＧＡの詳細については後で説明する。
【００４０】
トップシート２０は、ナプキン１の使用時において使用者の肌と当接する部材であり、経血等の液体を厚さ方向の肌側から非肌側に透過させ、吸収体１０に移動させる。トップシート２０は、エアスルー不織布等の適宜な不織布によって形成されているが、液透過性の柔軟なシートであれば、これ以外のシートが用いられても良い。
【００４１】
図１に示すように、トップシート２０の肌側面には、肌側から複数の圧搾部Ｅ，Ｅ…が形成されており、これにより、トップシート２０と吸収体１０とが一緒に厚さ方向に圧搾されて接合一体化されている。本実施形態のトップシート２０では、かかる圧搾部Ｅとして、線状圧搾部ＥＬ２０と、点状圧搾部ＥＤ２０とが形成されている。線状圧搾部ＥＬ２０は、吸収体１０の外周縁部に沿って複数連なって形成されていて、これにより、全体として長手方向に長い略環状をなしている。一方、点状圧搾部ＥＤ２０は、線状圧搾部ＥＬ２０がトップシート２０上に区画する略閉じた領域内に離散的に形成されている。この点状圧搾部ＥＤ２０は、上述した吸収体点状圧搾部ＥＤ１０と同様、或る形状及び面積を有して形成される。図１において、点状圧搾部ＥＤ２０は円形として示されているが、円形に限られるものではない。
【００４２】
バックシート３０は、ナプキン１の使用時においてトップシート２０を透過して吸収体１０によって吸収された液体が下着等の着衣側（非肌側）に染み出すことを抑制する。
バックシート３０は、ポリエチレン（ＰＥ）等の適宜な樹脂フィルムによって形成されているが、液不透過性の柔軟なシートであれば、これ以外のシートが用いられても良い。
【００４３】
図２に示されるように、バックシート３０の非肌側面には、ナプキン１の使用時においてナプキン１を下着等に貼付して固定するための粘着部４０が形成されている。粘着部４０は、バックシート３０のウイング部３０ｗの非肌側面に略矩形状に形成される１対のウイング粘着部４０ｗと、１対のウイング粘着部４０ｗの幅方向の間の部分に形成される本体粘着部４０ｃとを有する。本体粘着部４０ｃは、例えば図２のように、バックシート３０と吸収体１０とが重複する部分で長手方向に沿った複数の帯状の領域に適宜な接着剤ＨＭＡを塗布することにより形成されている。ナプキン１を使用する際は、本体粘着部４０ｃを下着の股下部（クロッチ部）内側に貼付した状態で下着ごとナプキン１を装着することで、使用者の身体に対して吸収体１０の位置がずれないようにする。同様に、ウイング粘着部４０ｗは、ウイング部３０ｗが形成されている領域に適宜な接着剤ＨＭＡを塗布することにより例えば略矩形状に形成される。ナプキン１を使用する際は、ウイング部３０ｗ（２０ｗ）を非肌側に折り曲げつつ幅方向中央側に折り返し、ウイング粘着部４０ｗを下着の股下部外側に貼付する。これにより、本体粘着部４０ｃとウイング粘着部４０ｗとで下着の股下部を挟み込むようにしてナプキン１が固定され、使用時の位置ずれ等を抑制することができる。
【００４４】
＜ナプキン１の使用時について＞
続いて、ナプキン１の使用時の態様について説明する。図５は、ナプキン１の使用態様について説明する図である。
【００４５】
使用者がナプキン１を装着する際には、ナプキン１を下着の股下部（クロッチ部）に固定した状態で、下着を使用者の股間２０１Ｋ側に引き上げる動作を行う。このとき、図５の状態Ａで表されるようにナプキン１は、吸収体１０に設けられた折り誘導線１５に沿って肌側に突出するように折れ曲がる。そして、ナプキン１が使用者の股間２０１Ｋに装着された状態では、図５の状態Ｂで表されるように、折り誘導線１５に沿って肌側に突出した折れ曲がり部が、膣口等の排泄口２０１Ｈｅが存在する隙間に接しやすくなる。これにより、使用者に良好なフィット性を感じさせると共に、経血等の排泄液を漏れなく吸収体１０に吸収させやすくすることができる。
【００４６】
しかしながら、ナプキン１を着用する動作中には様々な力が作用するため、吸収体１０が図５の状態Ａに示されるような良好な山型の折れ曲がり形状を維持できなくなるおそれがある。例えば、下着を引き上げる動作において使用者の両脚に挟まれることにより、吸収体１０が幅方向内側に圧縮される場合がある。このような場合、吸収体１０で折り誘導線１５を挟んだ両側の平面形状を有する部分（すなわち、図５の状態Ａにおける三角形の辺の部分）に曲げの起点が発生し、山型の折れ曲がり形状が崩れてしまうおそれがある。特に、本実施形態の吸収体１０には曲げの起点となりやすい線状圧搾部ＥＬ２０が形成されているため、当該線状圧搾部ＥＬ２０によって吸収体１０の良好な折れ曲がり形状が崩れないようにする必要がある。
【００４７】
そこで本実施形態では、ナプキン１を下着に固定する粘着部４０の配置を調整することにより、吸収体１０の剛性に加えて下着の剛性を利用して吸収体１０が平面形状を維持しやすいようにしている。その際、吸収体１０が折り誘導線１５に沿って肌側に突出して折れ曲がる変形を阻害しないように粘着部４０の配置が調整される。以下、吸収体１０（ナプキン１）の折れ曲がり形状と粘着部４０の配置との関係について説明する。
【００４８】
図６Ａは、吸収体１０を折り誘導線１５に沿って折り曲げたときの状態について説明する概略断面図である。図６Ｂは、図６Ａの状態から吸収体１０を平面状に伸ばしたときの状態について説明する概略断面図である。
【００４９】
上述したように吸収体１０は製造工程において、折り誘導線１５に沿って一旦折り曲げられることにより、図６Ａに示されるような折り曲げ部が形成される。この折り曲げ部では、折り誘導線１５の位置で吸収体１０の肌側表面が厚さ方向の肌側に突出した状態となる。また、吸収体１０の非肌側表面では、折り誘導線１５の部分（幅方向の中央部）が幅方向の内側に圧縮されることから、一部が非肌側に突出した凸部１５ｂが形成される。そして、折り誘導線１５を中心とした幅方向の所定の領域に折り癖がつけられる。本明細書中では、この領域を折り曲げ誘導領域１５ＧＡとする。折り曲げ誘導領域１５ＧＡは、折り誘導線１５の幅方向の両側にそれぞれ吸収体１０の厚さ以下の幅を有するように形成される。すなわち、吸収体１０の厚さをｔとすると、折り曲げ誘導領域１５ＧＡは折り誘導線１５を中心として幅方向に最大で２ｔの幅を有する領域である。
【００５０】
吸収体１０を折り誘導線１５に沿って折り曲げた後、折り曲げられた部分を伸ばすと、吸収体１０は完全な平面には戻らず、図６Ｂに示されるように折り曲げ誘導領域１５ＧＡの部分に形成された折り癖によって、折り誘導線１５に沿って厚さ方向の肌側に突出して折れ曲がった状態がわずかに残る。その後、図６Ｂのように伸ばされた状態の吸収体１０は、トップシート２０及びバックシート３０によって厚さ方向に覆われて（図３参照）、ナプキン１が形成される。ナプキン１の着用時には、当該折り曲げ誘導領域１５ＧＡによって吸収体１０（ナプキン１）が肌側に突出して折れ曲がりやすくなり、図５の状態Ａのように変形する。
【００５１】
本実施形態では、この折り曲げ誘導領域１５ＧＡと重複しないように粘着部４０が配置される。さらに、粘着部４０は、曲げの起点となりやすい線状圧搾部ＥＬ２０とも重複しないように配置される。これにより、ナプキン１の着用時において吸収体１０の良好な折れ曲がり形状を維持しやすくすることができる。図７は、折り曲げ誘導領域１５ＧＡ及び線状圧搾部ＥＬ２０と粘着部４０との関係を表す図である。
【００５２】
同図７の網掛け表示部で示されるように、粘着部４０のうち本体粘着部４０ｃは、ナプキン１の長手方向中央部において、折り曲げ誘導領域１５ＧＡと線状圧搾部ＥＬ２０との間（幅方向の間）の領域に形成されている。また、粘着部４０のうちウイング粘着部４０ｗは、線状圧搾部ＥＬ２０よりも幅方向の外側に形成されている。すなわち、少なくとも長手方向の中央部において、線状圧搾部ＥＬ２０及び折り曲げ誘導領域１５ＧＡは、粘着部４０と重複する領域に形成されていない。なお、「長手方向の中央部」とは、ナプキン１でウイング部２０ｗ，３０ｗが形成されている領域である。さらに言うと、ウイング部２０ｗ，３０ｗのうち、長手方向においてウイング粘着部４０ｗが形成されている領域である（図７参照）。
【００５３】
上述したように本体粘着部４０ｃは、ナプキン１の着用時に下着の股下部（クロッチ部）に貼付されることにより、ナプキン１（吸収体１０）の位置を固定する。本体粘着部４０ｃが下着に貼付された状態では下着の生地と吸収体１０とが一体的となるので、吸収体１０で本体粘着部４０ｃが形成されている部分の剛性は他の部分の剛性よりも高くなる。そのため、本体粘着部４０ｃが形成されている領域は平面形状を維持しやすく、ナプキン１を着用する動作において、図５の状態Ａで示されるような山型の折れ曲がり形状を維持しやすくなる。
【００５４】
一方で、このような剛性が高い平面領域に連続した線状の圧搾部が形成されていると、当該線状圧搾部が関節のように作用して、吸収体１０は線状圧搾部を起点として折れ曲がりを生じやすくなる。そこで本実施形態では、本体粘着部４０ｃと線状圧搾部ＥＬ２０とが重複しないようにすることで、吸収体１０及び下着が一体となっている領域（すなわち本体粘着部４０ｃによって接合されている領域）の平面形状を維持しやすくしている。これにより、吸収体１０に形成されている山型の折れ曲がり形状が崩れにくくなる。
【００５５】
また、本体粘着部４０ｃが下着に貼付されている領域の剛性が高くなることから、仮に本体粘着部４０ｃが折り曲げ誘導領域１５ＧＡと重複していると、折り誘導線１５に沿った吸収体１０の折れ曲がり変形が阻害されやすくなる。そこで本実施形態では、本体粘着部４０ｃと折り曲げ誘導領域１５ＧＡとが重複しないようにすることで、ナプキン１の着用時において吸収体１０が折り誘導線１５に沿って折れ曲がりやすくなるようにしている。これにより、良好な山型の折れ曲がり形状が形成されやすくなり、ナプキン１のフィット性を向上させることができる。
【００５６】
特に、ウイング粘着部４０ｗによって下着に固定される位置（すなわち、長手方向において使用者の膣口と当接する位置）において、線状圧搾部ＥＬ２０及び折り曲げ誘導領域１５ＧＡと、粘着部４０とが重複しないようにすることで、使用者の膣口と当接する領域におけるフィット性を向上させることができる。
【００５７】
なお、図６Ａで説明したように、吸収体１０が折れ曲がると、吸収体１０の幅方向中央部において非肌側面の一部が厚さ方向の非肌側に突出した凸部１５ｂが形成される場合がある。この凸部１５ｂと吸収体１０の非肌側面の他の部分とが本体粘着部４０ｃによって接着されると、当該接着された部分が固くなる。すると、吸収体１０の山型形状の上端部が固くなるため、使用者に違和感生じさせやすくなるおそれがある。しかし、この凸部１５ｂが吸収体１０の厚さｔよりも大きく形成されることはないので、折り曲げ誘導領域１５ＧＡの幅が２ｔであれば、凸部１５ｂは必ず折り曲げ誘導領域１５ＧＡの領域内に形成される。したがって、本実施形態において本体粘着部４０ｃと折り曲げ誘導領域１５ＧＡとが重複していなければ、凸部１５ｂと本体粘着部４０ｃとが接触する可能性は低く、上述のような問題は生じない。但し、折り曲げ誘導領域１５ＧＡの幅が２ｔよりも狭い場合もあるため、凸部１５ｂと本体粘着部４０ｃとの接触を回避するためには、本体粘着部４０ｃがなるべく幅方向の中央から離れた位置に形成されることが望ましい。
【００５８】
また、粘着部４０と線状圧搾部ＥＬ２０とが重複しないようにすることで、使用後のナプキン１を下着から取り外す際に、粘着部４０を形成する接着剤ＨＭＡが下着に残ってしまうこと（以下、アンカリングとも言う）を抑制することができる。図８Ａ及び図８Ｂは、アンカリングが生じる原理について説明する図である。なお、図８Ａ及び図８Ｂでは、説明のため、粘着部４０と線状圧搾部ＥＬ２０とが重複する場合について表している。
【００５９】
線状圧搾部ＥＬ２０は、厚さ方向の肌側（すなわちトップシート２０側）から吸収体１０が圧搾されることによって形成され、図８Ａのように吸収体１０の肌側には深い開口Ｈｆが形成される。一方、吸収体１０が厚さ方向に圧縮される影響により、非肌側にも開口Ｈｆよりも浅い開口Ｈｂが形成される場合がある。この状態で、線状圧搾部ＥＬ２０と重複して粘着部４０が設けられると、図８Ａのように非肌側の開口Ｈｂによって吸収体１０（バックシート３０）と粘着部４０との間には空間Ｈｂｓが形成される。そして、ナプキン１を使用する際には、粘着部４０を介してナプキン１の非肌面側が下着に貼付される。
【００６０】
ナプキン１の使用後に該ナプキン１を下着から取り外す際には、ナプキン１を肌側に引っ張って粘着部４０を下着から引き剥がす。粘着部４０と下着との接着力は、粘着部４０とバックシート３０との接着力よりも弱いため、通常、粘着部４０はバックシート３０と共に下着から離脱する。しかし、空間Ｈｂｓが形成されていた場合、当該空間Ｈｂｓの部分では粘着部４０がバックシート３０と接着されていないため、図８Ｂのように粘着部４０の一部４０ｈｂは下着と接着された状態が維持される。これにより、粘着部４０の一部４０ｈｂが下着側に残される（アンカリング）。
【００６１】
これに対して、本実施形態では、粘着部４０と線状圧搾部ＥＬ２０とが重複していないので、図８Ａにおける空間Ｈｂｓが形成されない。したがって、粘着部４０を形成する接着剤ＨＭＡの一部（図８Ｂにおける４０ｈｂに相当する部分）が下着側に残ってしまうことが抑制される。
【００６２】
ところで、実際にナプキン１を使用する際には、ウイング部２０ｗ，３０ｗを幅方向の中央側へ折り返して下着の股下部外側（クロッチ部の非肌側）にウイング粘着部４０ｗを貼付する（図１０参照）ことによってナプキン１を下着に固定する。本実施形態のナプキン１では、このウイング粘着部４０ｗによって、折り誘導線１５に沿った山型の折れ曲がり形状がより崩れにくくなるようにしている。
【００６３】
図９は、ウイング部２０ｗ，３０ｗを折り返した状態における、折り曲げ誘導領域１５ＧＡ及び線状圧搾部ＥＬ２０とウイング粘着部４０ｗとの関係を表す図である。図１０は、図９のＢ−Ｂ矢視で示す断面について、ナプキン１を下着に固定したときの状態について示す図である。図９の太線部で示されるように、ウイング部２０ｗ，３０ｗを幅方向の中央側へ折り返すと、ウイング粘着部４０ｗの一部の領域が本体粘着部４０ｃと重複する。この重複した部分では、図１０に示されるようにウイング粘着部４０ｗ及び本体粘着部４０ｃが厚さ方向について下着を挟み込んだ状態となるため、当該重複した部分では剛性がより高くなる。つまり、少なくとも吸収体１０と下着とウイング部２０ｗ，３０ｗとからなる３つの層を有することによって当該部分の剛性が高まり、平面形状を維持しやすくなる。これにより、吸収体１０の折れ曲がり形状がより崩れにくくなる。
【００６４】
但し、ウイング部２０ｗ，３０ｗを幅方向の中央側へ折り返したときにウイング粘着部４０ｗが折り曲げ誘導領域１５ＧＡと重複すると、折り曲げ誘導領域１５ＧＡの剛性が高くなり、折り誘導線１５に沿った吸収体１０の折れ曲がり変形が阻害されるおそれがある。そこで、本実施形態ではウイング部２０ｗ，３０ｗの折り返し量が最大となった場合でも、ウイング粘着部４０ｗが折り曲げ誘導領域１５ＧＡと重複しないようにしている。ここで、ウイング部２０ｗ，３０ｗの折り返し量が最大となる場合とは、ウイング部２０ｗ，３０ｗを吸収体１０の幅方向の端縁部に沿って折り返したときのことを言う。
【００６５】
図１１は、ウイング部２０ｗ，３０ｗを吸収体１０の幅方向端縁部に沿って折り返した状態における、折り曲げ誘導領域１５ＧＡ及び線状圧搾部ＥＬ２０とウイング粘着部４０ｗとの関係を表す図である。同図１１に示されるように、ウイング部２０ｗ，３０ｗの折り返し量が最大となった場合、ウイン部粘着部４０は本体粘着部４０ｃと重複する部分を有するが、折り曲げ誘導領域１５ＧＡと重複する部分は有していない。これにより、折り曲げ誘導領域１５ＧＡの剛性が高くなることが抑制される。したがって、ナプキン１の着用時において、吸収体１０の折り誘導線１５に沿った折れ曲がり変形が阻害されにくくなる。なお、図１１では、ウイング部２０ｗ，３０ｗの幅方向端部が折り曲げ誘導領域１５ＧＡと重複しているが、ウイング部２０ｗ，３０ｗ自体も折り曲げ誘導領域１５ＧＡと重複しないようにすれば、折り曲げ誘導領域１５ＧＡの剛性が高くなることをさらに抑制しやすくなり、吸収体１０の折り誘導線１５に沿った折れ曲がり変形がより阻害されにくくなる。
【００６６】
また、吸収体１０の長手方向の中央部以外の領域では、線状圧搾部ＥＬ２０と粘着部４０とが重複していても良い場合がある。例えば、本実施形態では、図７のＲ１〜Ｒ３で表される領域において、線状圧搾部ＥＬ２０と粘着部４０とが重複している。
【００６７】
図７の領域Ｒ１は、長手方向の中央部よりも前側に位置し、当該領域において線状圧搾部ＥＬ２０は分断されている。同様に、領域Ｒ２及び領域Ｒ３は、長手方向の中央部分よりも後側に位置し、当該領域において線状圧搾部ＥＬ２０は分断されている。線状圧搾部ＥＬ２０が長手方向の中央部よりも外側（Ｒ１〜Ｒ３）において分断されているのは、長手方向の中央部と長手方向の前後部分とで、吸収体１０に作用する力を変化させるためである。例えば、長手方向中央部は使用者の膣口と当接する領域であるため、吸収体１０は図５のように肌側に突出して折れ曲がることが望ましい。一方、長手方向の前部は比較的平坦な使用者の腹と当接する領域であるため、吸収体１０が長手方向の中央部と同様に折れ曲がると、かえってフィット性が悪化する場合がある。そこで、本実施形態のナプキン１では、線状圧搾部ＥＬ２０を分断することによって、吸収体１０に作用する力を変化させている。
【００６８】
一方、線状圧搾部ＥＬ２０が完全に分断されている場合、使用者の身体の動きに連動する下着の動きに対して、吸収体１０の動きが当該分断箇所を境にして追従できなくなり、吸収体１０の折り曲げ形状が崩れてしまうおそれがある。そこで、本実施形態では領域Ｒ１〜Ｒ３において線状圧搾部ＥＬ２０が分断された箇所と粘着部４０（本体粘着部４０ｃ）とを重複させている。これにより、線状圧搾部ＥＬ２０の分断された箇所が粘着部４０を介して下着と接合され、線状圧搾部ＥＬ２０を伝播する力（例えば、鼠蹊部における股締め力によって発生し、長手方向の中央から前後へ線状圧搾部ＥＬ２０を伝播する力）の一部が当該分断箇所を超えて伝達されるようになる。したがって、線状圧搾部ＥＬ２０の分断箇所の前後で吸収体１０の動きが下着の動きに追従しやすくなり、折り曲げ形状が崩れてしまうことが抑制される。
【００６９】
また、本実施形態において、点状圧搾部ＥＤ２０の一部は粘着部４０（本体粘着部４０ｃ）と重複して配置されている。点状圧搾部ＥＤ２０は、開口部の大きさが０．５ｍｍ〜５ｍｍ程度の小さな圧搾部が離散的に形成されたものであるため、線状圧搾部ＥＬ２０と比較して、吸収体１０の折れ曲がりの起点にはなりにくい。したがって、点状圧搾部ＥＤ２０が粘着部４０と重複していたとしても、該点状圧搾部ＥＤ２０の影響で折り誘導線１５に沿った吸収体１０の折り曲げ形状が崩れてしまう可能性は低い。逆に、吸収体１０の表面に点状圧搾部ＥＤ２０が等間隔に形成されていれば、吸収体１０の剛性が均一になりやすいため、吸収体１０に折り癖をつけることが容易になる。本実施形態では、複数の点状圧搾部ＥＤ２０が長手方向に沿って等間隔に並ぶことにより、列Ｌ２０１〜Ｌ２０５を形成しており、吸収体１０が折り誘導線１５に沿って山型に折れ曲がる際には、列Ｌ２０１〜Ｌ２０５の形成された領域が平面形状に保たれることにより、吸収体１０の折れ曲がり形状が崩れにくくなる。
【００７０】
なお、複数の点状圧搾部ＥＤ２０のうち、幅方向の最も内側に配置されている列Ｌ２０１に属する点状圧搾部ＥＤ２０の位置は、本体粘着部４０ｃの幅方向内側端部の位置よりも内側となる（図７参照）。上述したように、吸収体１０が折れ曲がる際に折り曲げ誘導領域１５ＧＡの非肌側面に突出する凸部１５ｂ（図６Ａ参照）と接触させないため、本体粘着部４０ｃは吸収体１０の幅方向中央からなるべく離れて形成されることが望ましい。一方、点状圧搾部ＥＤ２０にはそのような制約は存在しない。したがって、点状圧搾部ＥＤ２０は本体粘着部４０ｃよりも幅方向の内側まで配置することが可能である。幅方向において下着に固定されている領域よりも点状圧搾部が形成されている領域が広くなるため、平面形状が保たれやすくなり、折れ曲がり形状がより崩れにくくなる。
【００７１】
また、本実施形態では、吸収体１０自体の構造が、ナプキン１の着用時に折り誘導線１５に沿って肌側に突出して折れ曲がりやすく、また、折れ曲がった状態を維持しやすい構造となっている。具体的に、吸収体１０は、全領域において厚さ及び目付量（単位面積当たりの質量）が均一になるように形成されている。特に、点状圧搾部ＥＤ２０が形成される領域（線状圧搾部ＥＬ２０によって囲まれる領域）では、目付にムラが生じないように形成されている。当該領域では点状圧搾部ＥＤ２０が形成されることによって部分的に吸収体１０の剛性が変化するため、仮に目付量が不均一であるとその部分に歪等が生じやすくなり、吸収体１０の折れ曲がり変形が不安定になるおそれがある。一方、目付量が均一であれば、図５のようにナプキン１の装着時において、下着を引き上げる際に歪等が生じにくくなり、折り誘導線１５に沿った良好な変形を阻害しにくい。
【００７２】
そして、上述したように吸収体１０は、その厚さｔが３ｍｍ以下、望ましくは２ｍｍ以下となるように形成されている。全体が薄く形成されているため、吸収体１０は折り誘導線１５に沿って容易に折り曲げることができる。また、薄型であるため、折り曲げた状態から平面状態に戻ろうとする力が大きくなりにくく、肌側に突出して折れ曲がった形状が維持されやすくなる。
【００７３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７４】
上述の実施形態では、吸収性コア１１における幅方向の中央位置に折り誘導線１５が形成されていたが、何等これに限らない。すなわち、中央位置から若干幅方向にずれた位置に折り誘導線１５が形成されていても良い。但し、吸収性コア１１やナプキン１は、基本的に幅方向の中央位置に関して対称形状に設計されていることから、望ましくは折り誘導線１５を幅方向の中央位置に形成すると良い。
【００７５】
上述の実施形態では、吸収性コア１１は肌側シート１２と非肌側シート１３の二枚のシートで覆われていたが、何等これに限らない。例えば、吸収性コア１１の肌側面及び非肌側面を一枚のシートで包むようにして覆っても良い。
【００７６】
上述の実施形態では、トップシート２０及びバックシート３０が、長手方向中央部の領域において幅方向外側に延出することによって、ウイング部２０ｗ,３０ｗが形成されていたが、何等これに限らない。例えば、ウイング部２０ｗ,３０ｗを形成する部材とトップシート２０,バックシート３０を形成する部材とが異なる部材であっても良い。
【符号の説明】
【００７７】
１  生理用ナプキン（ナプキン）、
１０  吸収体、
１１  吸収性コア、
１２  肌側シート（シート部材）、１３  非肌側シート（シート部材）、
１５  折り誘導線、１５ＧＡ  折り曲げ誘導領域、１５ｂ  凸部、
２０  トップシート、２０ｗ  ウイング部、２０ｅ  外周縁部、
３０  バックシート、３０ｗ  ウイング部、３０ｅ  外周縁部、
４０  粘着部、４０ｃ  本体粘着部、４０ｗ  ウイング粘着部、
２０１Ｋ  股間、２０１Ｈｅ  排泄口、
Ｅ  圧搾部、
ＥＤ１０  吸収体点状圧搾部、
ＥＤ２０  点状圧搾部、
ＥＬ２０  線状圧搾部、
ＨＭＡ  接着剤、
Ｌ２０１〜Ｌ２０５  列、
Ｒ１〜Ｒ３  領域、
ｔ  厚さ（吸収体１０）
【図１】
0006424129.tif 000002
【図２】
0006424129.tif 000003
【図３】
0006424129.tif 000004
【図４】
0006424129.tif 000005
【図５】
0006424129.tif 000006
【図６】
0006424129.tif 000007
【図７】
0006424129.tif 000008
【図８】
0006424129.tif 000009
【図９】
0006424129.tif 000010
【図１０】
0006424129.tif 000011
【図１１】
0006424129.tif 000012